(57)【要約】      （修正有）【課題】一つの錠により、スーツケースにある二つのジッパー組を同時にロックすることが可能なダブルロック機能付きスーツケースを提供する。【解決手段】ケースと第２蓋の間に位置している第１蓋の外側面に錠の本体３０を固定する。該本体は、第１プルヘッド２６４の第１ジッパー穴２６４１を設置するための二つの内ロック溝３３と、第２プルヘッド２７４の第２ジッパー穴２７４１を設置するための二つの外ロック溝３４と、を有するため、内ロック溝３３と外ロック溝３４とに第１プルヘッド２６４と第２プルヘッド２７４との一端をそれぞれ入れて、内ロック溝３３と外ロック溝３４とに第１ジッパー穴２６４１と第２ジッパー穴２７４１とをそれぞれ位置する。第１ジッパー穴２６４１と第２ジッパー穴２７４１とが第１ロック具の第１柱部４１と第２ロック具の第２柱部５１とにそれぞれ挿通されると、第１プルヘッド２６４と第２プルヘッド２７４とはそれぞれロックされる。【選択図】図３
0003186449.tif 000002
【実用新案登録請求の範囲】
【請求項１】
ケースと、
前記ケースに開放可能に枢着されており、前記ケースとから第１収容空間を構成する第１蓋と、
前記第１蓋に開放可能に枢着されており、前記第１蓋とから第２収容空間を構成する第２蓋と、
前記ケースに組み付けられている第１内ジッパーと、
前記第１蓋の一側に組み付けられており、前記第１内ジッパーに対応する第２内ジッパーと、
前記第１内ジッパーと前記第２内ジッパーの間に移動可能に設けられており、前記第１内ジッパーと前記第２内ジッパーを合せ、又は分離可能な二つの第１ジッパーヘッドと、
前記第１ジッパーヘッドに組み付けられており、それぞれ第１ジッパー穴を有する二つの第１プルヘッドと、
前記第１蓋の他側に組み付けられている第１外ジッパーと、
前記第２蓋に組み付けられており、前記第１外ジッパーに対応する第２外ジッパーと、
前記第１外ジッパーと前記第２外ジッパーの間に移動可能に設けられており、前記第１外ジッパーと前記第２外ジッパーを合せ、又は分離可能な二つの第２ジッパーヘッドと、
前記第２ジッパーヘッドに組み付けられており、それぞれ第２ジッパー穴を有する二つの第２プルヘッドと、
前記第１蓋に設けられており、本体と、第１ロック具と、第２ロック具と、第１押圧ボタンと、第２押圧ボタンと、ロックユニットと、を有する錠と、
を含み、
前記本体は、前記第２内ジッパーに近接する内側辺と、前記内側辺の反対側に位置しており、前記内側辺によりも前記第１外ジッパーに近接する外側辺と、前記内側辺から前記外側辺へ設けられており、前記第１ジッパー穴を置き可能な二つの内ロック溝と、前記外側辺から前記内側辺へ設けられており、前記第２ジッパー穴を置き可能な二つの外ロック溝と、を有し、前記第１蓋の外側面に設けられており、
前記第１ロック具は、押さえられたと前記内ロック溝から同期に離脱し、平常時に前記内ロック溝に位置して前記第１ジッパー穴を挿通している二つの第１柱部を有し、前記本体の内部に復帰可能に組み付けられており、
前記第２ロック具は、押さえられたと前記外ロック溝から同期に離脱し、平常時に前記外ロック溝に位置して前記第２ジッパー穴を挿通している二つの第２柱部を有し、前記本体の内部に復帰可能に組み付けられており、
前記第１押圧ボタンは、前記本体に組み付けられており、押圧されると復帰可能であり、前記第１ロック具の二つの前記第１柱部の前記内ロック溝からの離脱の可否を制御可能であり、
前記第２押圧ボタンは、前記本体に組み付けられており、押圧されると復帰可能であり、前記第２ロック具の二つの前記第２柱部の前記外ロック溝からの離脱の可否を制御可能であり、
前記ロックユニットは、前記本体に組み付けられており、前記第１ロック具と前記第２ロック具との変位の可否を制御可能であることを特徴とする、
ダブルロック機能付きスーツケース。
【請求項２】
前記本体は、更に、第１止め部と、第２止め部と、前記第１止め部と前記第２止め部の間に位置しており、前記ロックユニットを入れ可能な溝部と、前記溝部の周囲に設けられている二つの第３止め部と、前記第１ロック具の二つの前記第１柱部にそれぞれ対応する二つの第４止め部と、前記第２ロック具の二つの前記第２柱部にそれぞれ対応する二つの第５止め部と、を含み、前記第１ロック具は、更に、第１ロッド部と、前記第１ロッド部の反対側に位置する第１押付部と、を有し、二つの前記第１柱部と二つの前記第４止め部の間に第１バネが設けられており、前記第２ロック具は、更に、第２ロッド部と、前記第２ロッド部の反対側に位置する第２押付部と、を有し、二つの前記第２柱部と二つの前記第５止め部の間に第２バネが設けられており、前記第１押圧ボタンは、前記第１ロッド部を挿入可能な第１挿入溝と、前記第１止め部に押付け、又は前記第１止め部から離れ可能な第１フック部と、を有し、前記第２押圧ボタンは、前記第２ロッド部を挿入可能な第２挿入溝と、前記第２止め部に押付け、又は前記第２止め部から離れ可能な第２フック部と、を有し、前記ロックユニットは、錠であり、前記第３止め部に押付け、又は前記第３止め部から離れ可能な二つの凸部を有し、前記各凸部が前記第３止め部に押付けているときには、前記二つの凸部が、前記第１ロック具の前記第１止め部と前記第２ロック具の前記第２止め部とからずれており、前記各凸部が前記第３止め部から離れているときには、前記二つの凸部が、前記第１ロック具の前記第１止め部と前記第２ロック具の前記第２止め部とに押付けていることを特徴とする、請求項１に記載のダブルロック機能付きスーツケース。
【請求項３】
前記ロックユニットは、更に、暗号錠を含み、前記暗号錠は、前記第１ロック具と前記第２ロック具との変位の可否を制御可能であることを特徴とする、請求項２に記載のダブルロック機能付きスーツケース。
【請求項４】
前記ロックユニットは暗号錠であることを特徴とする、請求項１に記載のダブルロック機能付きスーツケース。
【考案の詳細な説明】
【技術分野】
【０００１】
本考案は、スーツケースに関し、特に、ダブルロック機能付きスーツケースに関するものである。
【背景技術】
【０００２】
図１を参照する。図１は従来の錠付きスーツケースを示す側面図である。このようなスーツケースは、ケース１１と、ケース１１に開けられ可能に枢着されており、ケース１１とから第１収容空間１２を構成する第１蓋１３と、第１蓋１３に開けられ可能に枢着されており、第１蓋１３とから第２収容空間１４を構成する第２蓋１５と、ケース１１と第１蓋１３の間に組み付けられている第１ジッパー組１６と、第１蓋１３と第２蓋１５の間に組み付けられている第２ジッパー組１７と、ケース１１の外側面に設けられている錠１８と、を有する。
錠１８により、第１ジッパー組１６をロックすることが可能である。このように、ケース１１及び第１蓋１３は、他人に容易に開けられることはない。
【０００３】
しかし、錠１８がケース１１の外側面に設けられているため、第１ジッパー組１６だけをロックすることが可能であり、第１収容空間１２の内部にある品物が他人に容易に盗まれることはないが、第２ジッパー組１７をロックすることができないため、第２収容空間１４の内部にある品物が他人に容易に盗まれる問題があった。
【考案の概要】
【考案が解決しようとする課題】
【０００４】
本考案の主な目的は、一つの錠により、スーツケースにある二つのジッパー組を同時にロックすることが可能なダブルロック機能付きスーツケースを提供することにある。
【課題を解決するための手段】
【０００５】
本考案のダブルロック機能付きスーツケースによると、ケースと、ケースに開けられ可能に枢着されており、ケースとから第１収容空間を構成する第１蓋と、第１蓋に開けられ可能に枢着されており、第１蓋とから第２収容空間を構成する第２蓋と、ケースに組み付けられている第１内ジッパーと、第１蓋の一側に組み付けられており、第１内ジッパーに対応する第２内ジッパーと、第１内ジッパーと第２内ジッパーの間に移動可能に設けられており、第１内ジッパーと第２内ジッパーを合せ、又は分離可能な二つの第１ジッパーヘッドと、第１ジッパーヘッドに組み付けられており、それぞれ第１ジッパー穴を有する二つの第１プルヘッドと、第１蓋の他側に組み付けられている第１外ジッパーと、第２蓋に組み付けられており、第１外ジッパーに対応する第２外ジッパーと、第１外ジッパーと第２外ジッパーの間に移動可能に設けられており、第１外ジッパーと第２外ジッパーを合せ、又は分離可能な二つの第２ジッパーヘッドと、第２ジッパーヘッドに組み付けられており、それぞれ第２ジッパー穴を有する二つの第２プルヘッドと、第１蓋に設けられており、本体と、第１ロック具と、第２ロック具と、第１押圧ボタンと、第２押圧ボタンと、ロックユニットと、を有する錠と、を含み、本体は、第２内ジッパーに近接する内側辺と、内側辺の反対側に位置しており、内側辺によりも第１外ジッパーに近接する外側辺と、内側辺から外側辺へ設けられており、第１ジッパー穴を置き可能な二つの内ロック溝と、外側辺から内側辺へ設けられており、第２ジッパー穴を置き可能な二つの外ロック溝と、を有し、第１蓋の外側面に設けられており、第１ロック具は、押さえられたと内ロック溝から同期に離脱し、平常時に内ロック溝に位置して第１ジッパー穴を挿通している二つの第１柱部を有し、本体の内部に復帰可能に組み付けられており、第２ロック具は、押さえられたと外ロック溝から同期に離脱し、平常時に外ロック溝に位置して第２ジッパー穴を挿通している二つの第２柱部を有し、本体の内部に復帰可能に組み付けられており、第１押圧ボタンは、本体に組み付けられており、押圧されると復帰可能であり、第１ロック具の二つの第１柱部の内ロック溝からの離脱の可否を制御可能であり、第２押圧ボタンは、本体に組み付けられており、押圧されると復帰可能であり、第２ロック具の二つの第２柱部の外ロック溝からの離脱の可否を制御可能であり、ロックユニットは、本体に組み付けられており、第１ロック具と第２ロック具との変位の可否を制御可能であることを特徴とする。
【０００６】
本考案のダブルロック機能付きスーツケースによると、本体は、更に、第１止め部と、第２止め部と、第１止め部と第２止め部の間に位置しており、ロックユニットを入れることが可能な溝部と、溝部の周囲に設けられている二つの第３止め部と、第１ロック具の二つの第１柱部にそれぞれ対応する二つの第４止め部と、第２ロック具の二つの第２柱部にそれぞれ対応する二つの第５止め部と、を含み、第１ロック具は、更に、第１ロッド部と、第１ロッド部の反対側に位置する第１押付部と、を有し、二つの第１柱部と二つの第４止め部の間に第１バネが設けられており、第２ロック具は、更に、第２ロッド部と、第２ロッド部の反対側に位置する第２押付部と、を有し、二つの第２柱部と二つの第５止め部の間に第２バネが設けられており、第１押圧ボタンは、第１ロッド部を挿入可能な第１挿入溝と、第１止め部に押付け、又は第１止め部から離れ可能な第１フック部と、を有し、第２押圧ボタンは、第２ロッド部を挿入可能な第２挿入溝と、第２止め部に押付け、又は第２止め部から離れ可能な第２フック部と、を有し、ロックユニットは、錠であり、第３止め部に押付け、又は第３止め部から離れ可能な二つの凸部を有し、各凸部が第３止め部に押付けているときには、二つの凸部が、第１ロック具の第１止め部と第２ロック具の第２止め部とからずらしており、各凸部が第３止め部から離れているときには、二つの凸部が、第１ロック具の第１止め部と第２ロック具の第２止め部とに押付けていることを特徴とする。
【０００７】
本考案のダブルロック機能付きスーツケースによると、ロックユニットは、更に、暗号錠を含み、暗号錠は、第１ロック具と第２ロック具との変位の可否を制御可能であることを特徴とする。
【０００８】
本考案のダブルロック機能付きスーツケースによると、ロックユニットは暗号錠であることを特徴とする。
【考案の効果】
【０００９】
本考案のダブルロック機能付きスーツケースによれば、一つの錠により、スーツケースにある二つのジッパー組を同時にロックすることが可能であり、スーツケースの内部にある品物が他人に容易に盗まれることはないという効果を有する。
【図面の簡単な説明】
【００１０】
【図１】従来の錠付きスーツケースを示す側面図である。
【図２】本考案の実施例１を示す側面図である。
【図３】図２の一部を示す拡大図である。
【図４】本考案の実施例１を示す斜視図である。
【図５】本考案の実施例１を示す正面図である。
【図６】本考案の実施例２の一部を示す拡大図であって、ロックユニットは、錠と、暗号錠と、から構成される。
【図７】本考案の実施例３の一部を示す拡大図であって、ロックユニットは暗号錠から構成される。
【図８】本考案の実施例１を示す断面図であって、本体の内部の様子を示す。
【図９】本考案の実施例１を示す断面図であって、第１押圧ボタンと第２押圧ボタンとが押圧されている状態を示す。
【図１０】本考案の実施例１を示す断面図であって、錠がロックされている状態を示す。
【考案を実施するための形態】
【００１１】
以下、本考案の実施の形態を図面に基づいて説明する。
図２から図５を参照する。図２は本考案の実施例１を示す側面図であり、図３は図２の一部を示す拡大図であり、図４は本考案の実施例１を示す斜視図であり、図５は本考案の実施例１を示す正面図である。
本考案の実施例１のダブルロック機能付きスーツケースは、ケース２１と、第１蓋２３と、第２蓋２５と、第１内ジッパー２６１と、第２内ジッパー２６２と、二つの第１ジッパーヘッド２６３と、二つの第１プルヘッド２６４と、第１外ジッパー２７１と、第２外ジッパー２７２と、二つの第２ジッパーヘッド２７３と、二つの第２プルヘッド２７４と、錠と、を含む。
【００１２】
第１蓋２３は、ケース２１に開けられることが可能に枢着されており、ケース２１とから第１収容空間２２を構成する。
【００１３】
第２蓋２５は、第１蓋２３に開けられることが可能に枢着されており、第１蓋２３とから第２収容空間２４を構成する。
【００１４】
第１内ジッパー２６１は、ケース２１に組み付けられている。
【００１５】
第２内ジッパー２６２は、第１蓋２３の一側に組み付けられており、第１内ジッパー２６１に対応する。
【００１６】
二つの第１ジッパーヘッド２６３は、第１内ジッパー２６１と第２内ジッパー２６２の間に移動可能に設けられており、第１内ジッパー２６１と第２内ジッパー２６２を合せ、又は分離することが可能である。
【００１７】
二つの第１プルヘッド２６４は、第１ジッパーヘッド２６３に組み付けられており、それぞれ第１ジッパー穴２６４１を有する。
【００１８】
第１外ジッパー２７１は、第１蓋２３の他側に組み付けられている。
【００１９】
第２外ジッパー２７２は、第２蓋２５に組み付けられており、第１外ジッパー２７１に対応する。
【００２０】
二つの第２ジッパーヘッド２７３は、第１外ジッパー２７１と第２外ジッパー２７２の間に移動可能に設けられており、第１外ジッパー２７１と第２外ジッパー２７２を合せ、又は分離することが可能である。
【００２１】
二つの第２プルヘッド２７４は、第２ジッパーヘッド２７３に組み付けられており、それぞれ第２ジッパー穴２７４１を有する。
【００２２】
第１内ジッパー２６１と、第２内ジッパー２６２と、二つの第１ジッパーヘッド２６３と、二つの第１プルヘッド２６４とから、ジッパー組２６が構成される。第１外ジッパー２７１と、第２外ジッパー２７２と、二つの第２ジッパーヘッド２７３と、二つの第２プルヘッド２７４とから、ジッパー組２７が構成される。
【００２３】
前記錠は、本体３０と、第１ロック具４０と、第２ロック具５０と、第１押圧ボタン６０と、第２押圧ボタン７０と、ロックユニット８０と、から構成され、第１蓋２３に設けられている。
【００２４】
本体３０は、第２内ジッパー２６２に近接する内側辺３１と、内側辺３１の反対側に位置しており、内側辺３１によりも第１外ジッパー２７１に近接する外側辺３２と、内側辺３１から外側辺３２へ設けられており、第１ジッパー穴２６４１を置き可能な二つの内ロック溝３３と、外側辺３２から内側辺３１へ設けられており、第２ジッパー穴２７４１を置き可能な二つの外ロック溝３４と、を有し、第１蓋２３の外側面に設けられている。
【００２５】
第１ロック具４０は、押さえられると内ロック溝３３から同期に離脱し、平常時に内ロック溝３３に位置して第１ジッパー穴２６４１を挿通している二つの第１柱部４１を有し、本体３０の内部に復帰可能に組み付けられている。
【００２６】
第２ロック具５０は、押さえられると外ロック溝３４から同期に離脱し、平常時に外ロック溝３４に位置して第２ジッパー穴２７４１を挿通している二つの第２柱部５１を有し、本体３０の内部に復帰可能に組み付けられている。
【００２７】
第１押圧ボタン６０は、本体３０に組み付けられており、押圧されると復帰可能であり、第１ロック具４０の二つの第１柱部４１の内ロック溝３３からの離脱の可否を制御可能である。
【００２８】
第２押圧ボタン７０は、本体３０に組み付けられており、押圧されると復帰可能であり、第２ロック具５０の二つの第２柱部５１の外ロック溝３４からの離脱の可否を制御可能である。
【００２９】
ロックユニット８０は、本体３０に組み付けられており、第１ロック具４０と第２ロック具５０との変位の可否を制御可能である。本実施例では、ロックユニット８０が錠８１であるが、もちろん、図６に示すように、ロックユニット８０が錠８１と暗号錠８２とから構成されてもよい。
錠８１と暗号錠８２とにより、第１ロック具４０と第２ロック具５０との変位の可否を制御可能である。もちろん、図７に示すように、ロックユニット８０は暗号錠８２でもよい。暗号錠８２により、第１ロック具４０と第２ロック具５０との変位の可否を制御可能である。ロックユニット８０により、第１ロック具４０と第２ロック具５０との変位の可否を制御する作動方式は、従来のものと同じであり、且つ本考案の重点ではないため、その部材の構成の詳細及び作動方式を省略した。
【００３０】
本実施例では、ケース２１と第２蓋２５の間に位置している第１蓋２３の外側面に前記錠の本体３０を固定し、そして本体３０は、第１プルヘッド２６４の第１ジッパー穴２６４１を設置可能な二つの内ロック溝３３と、第２プルヘッド２７４の第２ジッパー穴２７４１を設置可能な二つの外ロック溝３４と、を有するため、本体３０の内ロック溝３３に各第１プルヘッド２６４の一端を入れて、内ロック溝３３に第１ジッパー穴２６４１を位置することが可能である。
このように、第１ジッパー穴２６４１が第１ロック具４０の第１柱部４１に挿通されて、第１プルヘッド２６４がロックされる。同じように、本体３０の外ロック溝３４に各第２プルヘッド２７４の一端を入れて、外ロック溝３４に第２ジッパー穴２７４１を位置することが可能である。このように、第２ジッパー穴２７４１が第２ロック具５０の第２柱部５１に挿通されて、第２プルヘッド２７４がロックされる。
【００３１】
このように、一つの錠により、スーツケースにある二つのジッパー組を同時にロックすることが可能であり、スーツケースが他人に容易に開けられることはなくなり、盗難を防止することが可能である。
【００３２】
図３、図５、図８、図９及び図１０を参照する。図８は本考案の実施例１を示す断面図であって、本体の内部の様子を示し、図９は本考案の実施例１を示す断面図であって、第１押圧ボタンと第２押圧ボタンとが押圧されている状態を示し、図１０は本考案の実施例１を示す断面図であって、錠がロックされている状態を示す。
第１プルヘッド２６４をロックするための第１ロック具４０と、第１ロック具４０を制御するための第１押圧ボタン６０と、第２プルヘッド２７４をロックするための第２ロック具５０と、第２ロック具５０を制御するための第２押圧ボタン７０と、第１ロック具４０と第２ロック具５０との変位の可否を制御するためのロックユニット８０の構成及び作動方式を下記に説明する。
【００３３】
本体３０は、更に、第１止め部３５と、第２止め部３６と、第１止め部３５と第２止め部３６の間に位置しており、ロックユニット８０を入れることが可能な溝部３７と、溝部３７の周囲に設けられている二つの第３止め部３７１と、第１ロック具４０の二つの第１柱部４１にそれぞれ対応する二つの第４止め部３８と、第２ロック具５０の二つの第２柱部５１にそれぞれ対応する二つの第５止め部３９と、を含む。
【００３４】
第１ロック具４０は、更に、第１ロッド部４２と、第１ロッド部４２の反対側に位置する第１押付部４３と、を有する。二つの第１柱部４１と二つの第４止め部３８の間に第１バネ９１が設けられている。二つの第１柱部４１と二つの第４止め部３８の間に設けられている第１バネ９１により、第１ロック具４０は、本体３０の内部に復帰可能に組み付けられている。
【００３５】
第２ロック具５０は、更に、第２ロッド部５２と、第２ロッド部５２の反対側に位置する第２押付部５３と、を有する。二つの第２柱部５１と二つの第５止め部３９の間に第２バネ９２が設けられている。二つの第２柱部５１と二つの第５止め部３９の間に設けられている第２バネ９２により、第２ロック具５０は、本体３０の内部に復帰可能に組み付けられている。
【００３６】
第１押圧ボタン６０は、第１ロッド部４２を挿入可能な第１挿入溝６１と、第１止め部３５に押付け、又は第１止め部３５から離れ可能な第１フック部６２と、を有する。第１挿入溝６１に第１ロッド部４２を挿入することにより、第１押圧ボタン６０が第１ロック具４０と共に移動するようになり、第１フック部６２が第１止め部３５に押付けていることにより、第１押圧ボタン６０の本体３０からの離脱を防止することが可能である。
【００３７】
第２押圧ボタン７０は、第２ロッド部５２を挿入可能な第２挿入溝７１と、第２止め部３６に押付け、又は第２止め部３６から離れ可能な第２フック部７２と、を有する。
第２挿入溝７１に第２ロッド部５２を挿入することにより、第２押圧ボタン７０が第２ロック具５０と共に移動するようになり、第２フック部７２が第２止め部３６に押付けることにより、第２押圧ボタン７０の本体３０からの離脱を防止することが可能である。
【００３８】
ロックユニット８０は、錠８１であり、第３止め部３７１に押付け、又は第３止め部３７１から離れることが可能な二つの凸部８１１を有する。各凸部８１１が第３止め部３７１に押付けられているときには、二つの凸部８１１が、第１ロック具４０の第１止め部４３と第２ロック具５０の第２止め部５３からずれている。このため、第１押圧ボタン６０と第２押圧ボタン７０を押圧することが可能であり、第１ロック具４０と第２ロック具５０を作動することが可能である。
各凸部８１１が第３止め部３７１から離れているときには、二つの凸部８１１が、第１ロック具４０の第１止め部４３と第２ロック具５０の第２止め部４３とに押付けている。このため、第１押圧ボタン６０と第２押圧ボタン７０を押圧することができず、第１ロック具４０と第２ロック具５０を作動することができない。この状態は、図１０に示すように、ロック状態である。
【００３９】
本考案は、スーツケースに適用することができる。
【符号の説明】
【００４０】
１１  ケース
１２  第１収容空間
１３  第１蓋
１４  第２収容空間
１５  第２蓋
１６  第１ジッパー組
１７  第２ジッパー組
１８  錠
２０  スーツケース
２１  ケース
２２  第１収容空間
２３  第１蓋
２４  第２収容空間
２５  第２蓋
２６、２７  第２ジッパー組
３０  本体
３１  内側辺
３２  外側辺
３３  内ロック溝
３４  外ロック溝
３５  第１止め部
３６  第２止め部
３７  溝部
３８  第４止め部
３９  第５止め部
４０  第１ロック具
４１  第１柱部
４２  第１ロッド部
４３  第１押付部
５０  第２ロック具
５１  第２柱部
５２  第２ロッド部
５３  第２押付部
６０  第１押圧ボタン
６１  第１挿入溝
６２  第１フック部
７０  第２押圧ボタン
７１  第２挿入溝
７２  第２フック部
８０  ロックユニット
８１  錠
８２  暗号錠
９１  第１バネ
９２  第２バネ
２６１  第１内ジッパー
２６２  第２内ジッパー
２６３  第１ジッパーヘッド
２６４  第１プルヘッド
２７１  第１外ジッパー
２７２  第２外ジッパー
２７３  第２ジッパーヘッド
２７４  第２プルヘッド
３７１  第３止め部
８１１  凸部
２６４１  第１ジッパー穴
２７４１  第２ジッパー穴
【図１】
0003186449.tif 000003
【図２】
0003186449.tif 000004
【図３】
0003186449.tif 000005
【図４】
0003186449.tif 000006
【図５】
0003186449.tif 000007
【図６】
0003186449.tif 000008
【図７】
0003186449.tif 000009
【図８】
0003186449.tif 000010
【図９】
0003186449.tif 000011
【図１０】
0003186449.tif 000012